(57)【要約】【課題】携帯端末の利便性を損ねることなく、広告主の意図するタイミングで広告映像音声を視聴者に提示する。【解決手段】ストリーミング受信部２０８は、受信開始通知があると、ストリーミング映像音声の受信を開始し、受信中のストリーミング映像音声が広告コンテンツの箇所に到達したか否かを判定する。ストリーミング再生部２１０は、広告コンテンツの箇所に到達していない場合には、受信中のストリーミング映像音声をそのまま再生する一方、広告コンテンツの箇所に到達した場合には、受信レベルの平均値ａｖｎが閾値ｔｈ以下であるか判定し、受信レベルの平均値ａｖｎが閾値ｔｈ以下である場合には、ストリーミングに代えて、ダウンロードしておいた品質補完映像音声、または代替補完映像音声を再生する。【選択図】図３
2010154010.tif 000002
【特許請求の範囲】
【請求項１】
番組映像音声及び広告映像音声を含む放送波をストリーミング映像音声として受信可能な携帯端末であって、
放送波の受信状態を監視する監視手段と、
受信中のストリーミング映像音声とは別に放送波の受信状態が良いときに広告映像音声をダウンロードするダウンロード手段と、
前記ダウンロード手段によりダウンロードされた広告映像音声を保存する保存手段と、
前記受信中のストリーミング映像音声において前記広告映像音声の箇所に到達したか否かを判定する到達判定手段と、
前記到達判定手段により広告映像音声の箇所に到達したと判定されると、前記監視手段による受信状態に基づいて、前記受信中のストリーミング映像音声に含まれる広告映像音声に代えて、前記保存手段に保存されている前記ダウンロードされた広告映像音声を提示する提示手段と
を備えることを特徴とする携帯端末。
【請求項２】
前記監視手段は、前記放送波の受信状態を監視するに際し、放送波の受信レベルの一定周期における平均値を取得する平均値取得手段を備え、
所定の閾値を予め記憶する記憶手段と、
前記平均値取得手段により取得された受信レベルの平均値と前記記憶手段に記憶されている所定の閾値とを比較する比較手段を更に備え、
前記提示手段は、
前記比較手段による比較の結果、前記受信レベルの平均値が前記所定の閾値以上である場合、受信中のストリーミング映像音声に含まれる広告映像音声の再生を行い、前記受信レベルの平均値が前記所定の閾値を下回った場合、前記受信中のストリーミング映像音声に含まれる広告映像音声に代えて、前記保存手段に保存されている前記ダウンロードされた広告映像音声を提示する、
ことを特徴とする請求項１記載の携帯端末。
【請求項３】
前記受信中のストリーミング映像音声に含まれる広告映像音声に付加されたメタデータと、前記ダウンロードされた広告映像音声に付加されたメタデータとを取得するメタデータ取得手段と、
前記メタデータ取得手段により取得された、前記受信中のストリーミング映像音声に含まれる広告映像音声に付加されたメタデータと前記ダウンロードされた広告映像音声に付加されたメタデータとに基づいて、前記ダウンロードされた広告映像音声の中から、前記受信中のストリーミング映像音声に含まれる広告映像音声と同一の広告映像音声を検索する第１の検索手段と、
を有し、
前記提示手段は、
前記受信中のストリーミング映像音声に含まれる広告映像音声の代わりに、前記第１の検索手段により検索された、前記ダウンロードされた広告映像音声を提示する、
ことを特徴とする請求項１または２記載の携帯端末。
【請求項４】
視聴者の個人特性情報を予め記憶する個人特性情報記憶手段と、
前記ダウンロードされた広告映像音声に付加されたメタデータと前記個人特性情報記憶手段から読み出した個人特性情報との相関関係を取得する相関取得手段と、
前記相関取得手段により取得された相関関係に基づいて、前記ダウンロードされた広告映像音声の中から、前記視聴者の個人特性に合致する広告映像音声を検索する第２の検索手段と、
を有し、
前記提示手段は、
前記受信中のストリーミング映像音声に含まれる広告映像音声の代わりに、前記第２の検索手段により検索された、ダウンロードされた広告映像音声を提示する、
ことを特徴とする請求項１から３のいずれかに記載の携帯端末。
【請求項５】
番組映像音声及び広告映像音声を含む放送波をストリーミング映像音声とし携帯端末で受信して視聴者に提示する放送サービス提示方法であって、
放送波の受信状態を監視するステップと、
受信中のストリーミング映像音声とは別に放送波の受信状態が良いときに広告映像音声をダウンロードするステップと、
前記ダウンロードされた広告映像音声を保存するステップと、
前記受信中のストリーミング映像音声において前記広告映像音声の箇所に到達したか否かを判定するステップと、
広告映像音声の箇所に到達したと判定されると、前記放送波の受信状態に基づいて、前記受信中のストリーミング映像音声に含まれる広告映像音声に代えて、前記ダウンロードされた広告映像音声を提示するステップと
を含むことを特徴とする放送サービス提示方法。
【請求項６】
前記放送波の受信状態を監視するステップは、放送波の受信レベルの一定周期における平均値を取得するステップを含み、
前記放送サービス提示方法は、
所定の閾値を予め記憶するステップと、
前記取得された受信レベルの平均値と前記所定の閾値とを比較するステップと
を更に含み、
前記広告映像音声を提示するステップにおいて、
前記比較の結果、前記受信レベルの平均値が前記所定の閾値以上である場合、受信中のストリーミング映像音声に含まれる広告映像音声の再生を行い、前記受信レベルの平均値が前記所定の閾値を下回った場合、前記受信中のストリーミング映像音声に含まれる広告映像音声に代えて、前記ダウンロードされた広告映像音声を提示する、
ことを特徴とする請求項５記載の放送サービス提示方法。
【請求項７】
前記受信中のストリーミング映像音声に含まれる広告映像音声に付加されたメタデータと、前記ダウンロードされた広告映像音声に付加されたメタデータとを取得するステップと、
前記取得された受信中のストリーミング映像音声に含まれる広告映像音声に付加されたメタデータと前記ダウンロードされた広告映像音声に付加されたメタデータとに基づいて、前記ダウンロードされた広告映像音声の中から、受信中のストリーミング映像音声に含まれる広告映像音声と同一の広告映像音声を検索するステップと
を更に含み、
前記広告映像音声を提示するステップにおいて、
前記受信中のストリーミング映像音声に含まれる広告映像音声の代わりに、前記検索された、ダウンロードされた広告映像音声を提示する、
ことを特徴とする請求項５または６記載の放送サービス提示方法。
【請求項８】
視聴者の個人特性情報を記憶するステップと、
前記ダウンロードされた広告映像音声に付加されたメタデータと前記個人特性情報との相関関係を取得するステップと、
前記取得された相関関係に基づいて、ダウンロードされた広告映像音声の中から、視聴者の個人特性に合致する広告映像音声を検索するステップと
を更に含み、
前記広告映像音声を提示するステップにおいて、
前記受信中のストリーミング映像音声に含まれる広告映像音声の代わりに、前記検索された、ダウンロードされた広告映像音声を提示する、
ことを特徴とする請求項５から７のいずれかに記載の放送サービス提示方法。
【請求項９】
請求項５から８のいずれかに記載の放送サービス提示方法をコンピュータに実行させるためのプログラム。
【発明の詳細な説明】
【技術分野】
【０００１】
本発明は、携帯電話やカー・ナビゲーション・システムなどで放送波を受信可能な携帯端末に対して、ＴＶ放送中のニュースや、ドラマなどの番組映像音声、商品広告のための広告映像音声などをストリーミングとして視聴者に提供するサービスに係り、ストーミングとして放送される番組映像音声、広告映像音声を視聴者に提示する携帯端末、放送サービス提示方法、及びプログラムに関する。
【背景技術】
【０００２】
従来から、ＦＯＭＡ（フォーマ：登録商標）などの携帯電話に対して、地上デジタル放送１セグメント部分受信サービス（ワンセグ）により、ＴＶ放送サービスが提供されている。そして、視聴者に対する各種商品の宣伝としてＴＶ放送の番組映像音声の前後や、途中などで広告映像音声が放送されている。
【０００３】
また、カー・ナビゲーション・システムや、携帯オーディオ機器などにおいても、ワンセグ用のチューナが搭載され、携帯電話同様にＴＶ放送サービス内で広告映像音声が放送されている。
【０００４】
また、ワンセグの受信エリアの拡大や、放送波の安定した受信のために、ダイバーシティ受信を用いた方式が検討されている（例えば、非特許文献１参照）。
【０００５】
さらには、録画機能を搭載し、ＴＶ放送を録画しておいて、視聴者の都合の良い時に見ることができるようになっている。
【非特許文献１】岡野他，“携帯端末向けダイバーシティ受信によるワンセグの野外受信実験”，信学技報，ＥＭＣＪ，Ｖｏｌ．１０６，Ｎｏ．５７９（２００７０３０２）ｐｐ．２３−２８
【発明の開示】
【発明が解決しようとする課題】
【０００６】
ところで、上述したような従来のワンセグにおいて、ＴＶ放送中の広告映像音声は、番組映像音声と同様に放送波の受信状態が時々刻々と変化する中でストリーミングとして配信される。広告主にとって、広告映像音声は、顧客獲得のために番組映像音声以上に重要であり、広告チャンネルや広告時間を獲得して広告主の意図するタイミングで提示したい。しかしながら、従来のワンセグでは、受信状態の劣化によって、広告映像音声の映像や、音声が停止、またはスキップされることがあり、広告映像音声を視聴者に正しく提示できないという問題がある。
【０００７】
また、受信状態の良い場所に携帯電話を置いておき、その間に番組映像音声、及び広告映像音声を含めて録画をし、録画後に視聴する方法がある。しかしながら、この場合も、録画後に視聴するため、あるいは、視聴者によって広告映像音声の早送りをされてしまう場合もあり、広告主の意図するタイミングで広告映像音声を視聴者に提示できないという問題がある。
【０００８】
さらに、録画をしておく方法の場合、劣化の少ない番組映像音声、及び広告映像音声の録画を行うためには、録画中に受信状況の良い場所に携帯電話や、カー・ナビゲーション・システムなどの携帯端末を配置しておかなければならず、携帯端末の利便性を損ねることになってしまうという問題がある。
【０００９】
本発明は、このような事情を考慮してなされたものであり、その目的は、携帯端末の利便性を損ねることなく、広告主の意図する内容、タイミングで広告映像音声を提示することができる携帯端末、放送サービス提示方法、及びプログラムを提供することにある。
【課題を解決するための手段】
【００１０】
上述した課題を解決するために、本発明は、番組映像音声及び広告映像音声を含む放送波をストリーミング映像音声として受信可能な携帯端末であって、放送波の受信状態を監視する監視手段と、受信中のストリーミング映像音声とは別に放送波の受信状態が良いときに広告映像音声をダウンロードするダウンロード手段と、前記ダウンロード手段によりダウンロードされた広告映像音声を保存する保存手段と、前記受信中のストリーミング映像音声において前記広告映像音声の箇所に到達したか否かを判定する到達判定手段と、前記到達判定手段により広告映像音声の箇所に到達したと判定されると、前記監視手段による受信状態に基づいて、前記受信中のストリーミング映像音声に含まれる広告映像音声に代えて、前記保存手段に保存されている前記ダウンロードされた広告映像音声を提示する提示手段とを備えることを特徴とする携帯端末である。
【００１１】
本発明は、上記の発明において、前記監視手段は、前記放送波の受信状態を監視するに際し、放送波の受信レベルの一定周期における平均値を取得する平均値取得手段を備え、所定の閾値を予め記憶する記憶手段と、前記平均値取得手段により取得された受信レベルの平均値と前記記憶手段に記憶されている所定の閾値とを比較する比較手段を更に備え、前記提示手段は、前記比較手段による比較の結果、前記受信レベルの平均値が前記所定の閾値以上である場合、受信中のストリーミング映像音声に含まれる広告映像音声の再生を行い、前記受信レベルの平均値が前記所定の閾値を下回った場合、前記受信中のストリーミング映像音声に含まれる広告映像音声に代えて、前記保存手段に保存されている前記ダウンロードされた広告映像音声を提示する、ことを特徴とする。
【００１２】
本発明は、上記の発明において、前記受信中のストリーミング映像音声に含まれる広告映像音声に付加されたメタデータと、前記ダウンロードされた広告映像音声に付加されたメタデータとを取得するメタデータ取得手段と、前記メタデータ取得手段により取得された、前記受信中のストリーミング映像音声に含まれる広告映像音声に付加されたメタデータと前記ダウンロードされた広告映像音声に付加されたメタデータとに基づいて、前記ダウンロードされた広告映像音声の中から、前記受信中のストリーミング映像音声に含まれる広告映像音声と同一の広告映像音声を検索する第１の検索手段と、を有し、前記提示手段は、前記受信中のストリーミング映像音声に含まれる広告映像音声の代わりに、前記第１の検索手段により検索された、前記ダウンロードされた広告映像音声を提示する、ことを特徴とする。
【００１３】
本発明は、上記の発明において、視聴者の個人特性情報を予め記憶する個人特性情報記憶手段と、前記ダウンロードされた広告映像音声に付加されたメタデータと前記個人特性情報記憶手段から読み出した個人特性情報との相関関係を取得する相関取得手段と、前記相関取得手段により取得された相関関係に基づいて、前記ダウンロードされた広告映像音声の中から、前記視聴者の個人特性に合致する広告映像音声を検索する第２の検索手段と、を有し、前記提示手段は、前記受信中のストリーミング映像音声に含まれる広告映像音声の代わりに、前記第２の検索手段により検索された、ダウンロードされた広告映像音声を提示する、ことを特徴とする。
【００１４】
また、上述した課題を解決するために、本発明は、番組映像音声及び広告映像音声を含む放送波をストリーミング映像音声とし携帯端末で受信して視聴者に提示する放送サービス提示方法であって、放送波の受信状態を監視するステップと、受信中のストリーミング映像音声とは別に放送波の受信状態が良いときに広告映像音声をダウンロードするステップと、前記ダウンロードされた広告映像音声を保存するステップと、前記受信中のストリーミング映像音声において前記広告映像音声の箇所に到達したか否かを判定するステップと、広告映像音声の箇所に到達したと判定されると、前記放送波の受信状態に基づいて、前記受信中のストリーミング映像音声に含まれる広告映像音声に代えて、前記ダウンロードされた広告映像音声を提示するステップとを含むことを特徴とする放送サービス提示方法である。
【００１５】
本発明は、上記の発明において、前記放送波の受信状態を監視するステップは、放送波の受信レベルの一定周期における平均値を取得するステップを含み、前記放送サービス提示方法は、所定の閾値を予め記憶するステップと、前記取得された受信レベルの平均値と前記所定の閾値とを比較するステップとを更に含み、前記広告映像音声を提示するステップにおいて、前記比較の結果、前記受信レベルの平均値が前記所定の閾値以上である場合、受信中のストリーミング映像音声に含まれる広告映像音声の再生を行い、前記受信レベルの平均値が前記所定の閾値を下回った場合、前記受信中のストリーミング映像音声に含まれる広告映像音声に代えて、前記ダウンロードされた広告映像音声を提示する、ことを特徴とする。
【００１６】
本発明は、上記の発明において、前記受信中のストリーミング映像音声に含まれる広告映像音声に付加されたメタデータと、前記ダウンロードされた広告映像音声に付加されたメタデータとを取得するステップと、前記取得された受信中のストリーミング映像音声に含まれる広告映像音声に付加されたメタデータと前記ダウンロードされた広告映像音声に付加されたメタデータとに基づいて、前記ダウンロードされた広告映像音声の中から、受信中のストリーミング映像音声に含まれる広告映像音声と同一の広告映像音声を検索するステップとを更に含み、前記広告映像音声を提示するステップにおいて、前記受信中のストリーミング映像音声に含まれる広告映像音声の代わりに、前記検索された、ダウンロードされた広告映像音声を提示する、ことを特徴とする。
【００１７】
本発明は、上記の発明において、視聴者の個人特性情報を記憶するステップと、前記ダウンロードされた広告映像音声に付加されたメタデータと前記個人特性情報との相関関係を取得するステップと、前記取得された相関関係に基づいて、ダウンロードされた広告映像音声の中から、視聴者の個人特性に合致する広告映像音声を検索するステップとを更に含み、前記広告映像音声を提示するステップにおいて、前記受信中のストリーミング映像音声に含まれる広告映像音声の代わりに、前記検索された、ダウンロードされた広告映像音声を提示する、ことを特徴とする。
【００１８】
また、上述した課題を解決するために、本発明は、上述の放送サービス提示方法をコンピュータに実行させるためのプログラムである。
【発明の効果】
【００１９】
この発明によれば、放送波の受信状態が時々刻々と変化する中でストリーミングとして配信されるＴＶ放送中の広告映像音声を補完した上で視聴者に提示することで、携帯端末の利便性を損ねることなく、広告主の意図する内容、タイミングで広告映像音声を提示することができるという利点が得られる。
【発明を実施するための最良の形態】
【００２０】
以下、本発明の一実施形態を、図面を参照して説明する。
【００２１】
図１は、本発明の実施形態による携帯端末向け放送サービス提供システムの全体的な構成を示すブロック図である。本携帯端末向け放送サービス提供システムは、携帯電話や、カー・ナビゲーション・システムなどの携帯端末２００、放送局の設備である放送装置１００、及び放送アンテナ３００から構成される。
【００２２】
携帯端末２００は、放送装置１００から放送される番組映像音声、及び広告映像音声をストリーミング（ストリーミング映像音声）として受信する。また、携帯端末２００は、放送装置１００からストリーミングが行われていない時間帯（例えば、深夜）に、ダウンロードファイルとして送信される品質補完映像音声と代替補完映像音声とを受信する。ここで、品質補完映像音声は、ストリーミング映像音声中の広告映像音声と同一のものであり、放送波の受信状態が悪いときの品質補完用に、代替補完映像音声は、ストリーミング映像音声中の広告映像音声と異なり、代替のものとして使用される。
【００２３】
なお、ダウンロードファイルは、ストリーミング用と別の周波数帯域を用いて、自由な時間帯に受信されても良い。また、ダウンロードファイルは、携帯端末２００での受信成功率を高めるため、一定周期で同じ内容を送り続けるカルーセル伝送を用いて受信されても良い。また、携帯端末２００が携帯電話のように通信機能を有している場合、ダウンロードファイルは、通信機能を用いて受信されても良い。
【００２４】
また、携帯端末２００は、放送装置１００から送信される放送プログラムを受信する。ここで、放送プログラムとは、ＥＰＧ（Electronic Program Guide；電子番組案内）や、ＥＣＧ（Electronic Contents Guide；電子コンテンツ案内）と類似のものを意味する。
【００２５】
放送装置１００は、番組映像音声、及び広告映像音声を含むストリーミング（ストリーミング映像音声）をストリーミングファイルとして管理し、品質補完映像音声、及び代替補完映像音声をダウンロードファイルとして管理し、放送アンテナ３００経由で携帯端末２００に放送する。また、放送装置１００は、放送プログラムを放送アンテナ３００経由で携帯端末２００に放送する。
【００２６】
放送アンテナ３００は、放送装置１００にて管理されているストリーミングファイル、ダウンロードファイル、及び放送プログラムを、放送波で送出するためのアンテナ設備である。
【００２７】
次に、上述した携帯端末向け放送サービス提供システムの動作を概略的に説明する。
オペレータは、放送装置１００に番組映像音声、及び広告映像音声を含むストリーミングファイルと、品質補完映像音声、及び代替補完映像音声であるダウンロードファイルとを登録する。
【００２８】
放送装置１００は、登録されたストリーミングファイルを、既存のＴＶ放送と同様に放送時間にストリーミングで放送し、ダウンロードファイルを、ストリーミングファイルの放送が行われていない時間帯（例えば、深夜）や、ストリーミングファイル用と別の周波数帯域を利用して、放送アンテナ３００経由で携帯端末２００に放送する。
【００２９】
携帯端末２００は、放送アンテナ３００経由で放送されるダウンロードファイルを受信し、携帯端末２００内に保存する。また、携帯端末２００は、放送時間に放送されるストリーミングファイルをストリーミングとして受信し、視聴者のチャンネル選択に基づいて、該当するチャンネルのストリーミング映像音声を視聴者に提示する。
【００３０】
また、携帯端末２００は、携帯端末２００の入力機能を用いて登録される視聴者の性別や、年齢、噂好などを示した情報を個人特性情報として保存する。
【００３１】
携帯端末２００は、視聴者へのストリーミング映像音声の提示中に、放送波の受信状態の監視を行い、広告映像音声の提示の際に、受信状態に応じて品質補完映像音声、ないしは代替補完映像音声への切り替え判断を行う。例えば、携帯端末２００は、放送波の受信状態の低下により、広告映像音声の再生が行えないと判断した場合に、携帯端末２００に保存されているダウンロードファイルの中から、当該広告映像音声の品質補完映像音声の探索を行い、品質補完映像音声を視聴者に提示する。
【００３２】
また、携帯端末２００は、ダウンロードファイルの中に当該広告映像音声の品質補完映像音声が存在しない場合に、携帯端末２００に保存されている個人特性情報とダウンロードファイル中の代替補完映像音声とを用いて、視聴者の個人特性に近い代替補完映像音声を視聴者に提示する。
【００３３】
次に、図２は、本実施形態による放送装置の機能構成の概要を示すブロック図であり、図３は、本実施形態による携帯端末の機能構成の概要を示すブロック図である。
【００３４】
図２において、放送装置１００は、放送波送信処理部１０１、放送プログラム送信部１０２、放送プログラム生成部１０３、放送プログラム保存部１０４、ストリーミング送信部１０５、ストリーミング保存部１０６、ダウンロード送信部１０７、ダウンロード保存部１０８、ユーザインタフェース部１０９から構成される。
【００３５】
放送波送信処理部１０１は、放送プログラム送信部１０２から放送プログラムの通知を受けた後、携帯端末２００に対して、放送プログラムを放送する。なお、放送装置１００での放送プログラムの放送タイミングと携帯端末２００での受信タイミングとは、同期しており、１日複数回実施されるものとする。また、放送波送信処理部１０１は、ストリーミング映像音声の放送時間に、ストリーミング送信部１０５からストリーミング映像音声の通知を受けた際に、ストリーミング映像音声を携帯端末２００に放送する。さらに、放送波送信処理部１０１は、ダウンロードファイルの放送時間に、ダウンロード送信部１０７からダウンロードファイルの通知を受けた際に、ダウンロードファイルを携帯端末２００に放送する。
【００３６】
ここで、放送プログラムは、ＥＰＧや、ＥＣＧに類似するものであり、ストリーミング放送用プログラムとダウンロード放送用プログラムとがある。ストリーミング放送用プログラムは、ストリーミング映像音声用の番組表であり、ストリーミング送信部１０５でのストリーミング映像音声の通知契機や、携帯端末２００の視聴者への番組表や、各番組内容の提示に用いられる。また、ダウンロード放送用プログラムは、ダウンロードファイル用の番組表であり、ダウンロード送信部１０７でのダウンロードファイルの通知契機や、携帯端末２００でのダウンロードファイルの受信契機の制御のために用いられる。
【００３７】
ここで、図４は、本実施形態による、ストリーミング映像音声の放送用に用いられるストリーミングファイルの一例を示す概念図である。ストリーミングファイルは、番組コンテンツ（番組映像音声用）と広告コンテンツ（広告映像音声用）とから構成される。
【００３８】
ここで、ストリーミングファイル中の構造は、ＭＰＥＧ−４や、Ｈ．２６４で用いられているＩＳＯベースメディアファイルフォーマット（ＩＳＯ／ＩＥＣ１４４９６−１２）を用いている。そして、当該フォーマットのｍｏｏｖボックスに、各番組コンテンツと各広告コンテンツの開始位置、終了位置や、広告コンテンツのための各種メタデータを格納する。携帯端末２００は、ｍｏｏｖボックス内の情報を参照することにより、後述する処理を実施する。
【００３９】
番組コンテンツは、既存の地上アナログテレビ放送や、地上デジタルテレビ放送と同様なニュース／報道、ドラマ、バラエティなどの番組の番組映像音声である。広告コンテンツは、番組コンテンツの前後や、途中に挿入されるものであり、品質補完映像音声用メタデータ、代替補完映像音声用メタデータ、及び広告映像音声から構成される。
【００４０】
品質補完映像音声用メタデータは、広告主、広告タイトル、広告時間にから構成され、後述する携帯端末２００での視聴者への品質禰完映像音声の提示判断に用いられる。代替補完映像音声用メタデータは、広告主と広告時間とにより構成され、後述する携帯端末２００での視聴者の個人特性に応じた代替補完映像音声の提示判断に用いられる。
【００４１】
広告映像音声は、後述する携帯端末２００での放送波の受信状態の監視により、広告映像音声の正常再生が可能と判断された場合に、視聴者に提示されるものである。もしくは、前述の品質補完映像音声の提示判断、及び代替補完映像音声の提示判断の結果、ダウンロードファイルに視聴者に提示すべき品質補完映像音声や、代替補完映像音声がない場合に、視聴者に提示されるものである。
【００４２】
図５は、本実施形態による、ダウンロードファイルの一例を示す概念図である。ダウンロードファイルは、広告提示判断メタデータと提示広告映像音声とから構成される。ここで、ダウンロードファイル中の構造は、ＭＰＥＧ−４や、Ｈ．２６４で用いられているＩＳＯベースメディアファイルフォーマット（ＩＳＯ／ＩＥＣ１４４９６−１２）を用いている。そして、当該フォーマットのｍｏｏｖボックスに、広告提示判断メタデータを格納する。携帯端末２００は、ｍｏｏｖボックス内の情報を参照することにより、後述する処理を実施する。
【００４３】
広告提示判断メタデータは、広告主や、広告タイトル、広告期間などから構成され、後述する携帯端末２００での品質補完映像音声の提示判断、及び視聴者の個人特性に応じた代替補完映像音声の提示判断に用いられる。提示広告映像音声は、品質補完映像音声、または代替補完映像音声であり、後述する携帯端末２００での当該視聴者への品質補完映像音声の提示判断、及び代替補完映像音声の提示判断の後、視聴者に提示される映像音声である。
【００４４】
次に、図２に説明を戻すと、放送プログラム送信部１０２は、放送プログラム保存部１０４に保存されている放送プログラム（ストリーミング放送用プログラム、及びダウンロード放送用プログラム）を定期的（例えば、１時間に１回）に取得し、放送波送信処理部１０１に通知する。
【００４５】
放送プログラム生成部１０３は、ストリーミング保存部１０６に保存されているストリーミングファイルに基づいて、ストリーミング放送用プログラムを作成し、放送プログラム保存部１０４に保存する。また、放送プログラム生成部１０３は、ダウンロード保存部１０８に保存されているダウンロードファイルに基づいて、ダウンロード放送用プログラムを作成し、放送プログラム保存部１０４に保存する。放送プログラム保存部１０４は、放送プログラム生成部１０３にて生成された放送プログラム（ストリーミング放送用プログラム、及びダウンロード放送用プログラム）を保存する。
【００４６】
ストリーミング送信部１０５は、放送プログラム保存部１０４中のストリーミング放送用プログラムを取得し、各ストリーミング映像音声の放送時間に、放送波送信処理部１０１に該当のストリーミング映像音声の通知を行い、携帯端末２００へのストリーミング映像音声の放送を実施する。ストリーミング保存部１０６は、ユーザインタフェース部１０９を用いてオペレータが登録したストリーミングファイルを保存する。
【００４７】
ダウンロード送信部１０７は、放送プログラム保存部１０４中のダウンロード放送用プログラムを取得し、各ダウンロードファイルの放送時間に、放送波送信処理部１０１に該当のダウンロードファイルの通知を行い、携帯端末２００へのダウンロードファイルの放送を実施する。ダウンロード保存部１０８は、ユーザインタフェース部１０９を用いてオペレータが登録したダウンロードファイルを保存する。
【００４８】
ユーザインタフェース部１０９は、オペレータに対して、ストリーミングファイルとダウンロードファイルを登録する環境を提供し、ストリーミングファイルをストリーミング保存部１０６に、ダウンロードファイルをダウンロード保存部１０８に保存する。
【００４９】
次に、図３において、携帯端末２００は、ユーザインタフェース部２０１、個人特性情報保存部２０２、放送波受信処理部２０３、放送プログラム受信部２０４、放送プログラム保存部２０５、ダウンロード受信部２０６、ダウンロード保存部２０７、ストリーミング受信部２０８、ストリーミング一時記憶部２０９、ストリーミング再生部２１０、現在日時管理部２１１、及び記録部２１２から構成される。
【００５０】
ユーザインタフェース部２０１は、視聴者に対する入出力インタフェースであり、映像表示装置、音声出力装置、入力キーなどを含む。個人特性情報保存部２０２は、ユーザインタフェース部２０１を用いて、視聴者が入力する視聴者の個人特性を示す個人特性情報を保存する。
【００５１】
ここで、図６は、本実施形態による、個人特性情報の一例を示す概念図である。個人特性情報は、生体情報、状況情報、嗜好情報から構成される。生体情報は、性別、年齢などを含む。状況情報は、携帯端末２００内のシステム情報であり、現在日付や、現在時刻などを含む。嗜好情報は、ジャンル、サブジャンル、キーワードなどを含む。
【００５２】
放送波受信処理部２０３は、放送プログラム受信部２０４から放送プログラム受信開始通知を受けると、放送装置１００からの放送プログラムを受信し、該放送プログラムを放送プログラム受信部２０４に供給する。また、放送波受信処理部２０３は、ダウンロード受信部２０６からダウンロードファイルの受信開始通知を受けると、放送装置１００からのダウンロードファイルを受信し、ダウンロード受信部２０６にダウンロードファイルを供給する。さらに、放送波受信処理部２０３は、ストリーミング受信部２０８からストリーミング映像音声の受信開始通知を受けると、放送装置１００からのストリーミング映像音声を受信し、ストリーミング受信部２０８にストリーミング映像音声を供給する。
【００５３】
また、放送波受信処理部２０３は、放送波の受信状態を常時監視し、一定周期（例えば、１５秒周期）で平均値を取り、保存する。保存先は、例えば、放送波受信処理部内のバッファメモリとする。
【００５４】
放送プログラム受信部２０４は、定期的（例えば、１時間に１回）に放送波受信処理部２０３に放送プログラムの受信開始通知を行い、放送装置１００が放送する放送プログラムを放送波受信処理部２０３経由で受信する。また、受信した放送プログラムを放送プログラム保存部２０５に保存する。放送プログラム保存部２０５は、放送プログラム受信部２０４から供給される放送プログラムを保存する。
【００５５】
ダウンロード受信部２０６は、放送プログラム保存部２０５中のダウンロード放送用プログラムを取得し、各ダウンロードファイルの放送時間に、放送波受信処理部２０３に該当のダウンロードファイルの受信開始通知を行い、ダウンロードファイルを放送波受信処理部２０３経由で受信する。また、受信したダウンロードコンテンツをダウンロード保存部２０７に保存する。ダウンロード保存部２０７は、ダウンロード受信部２０６から供給されるダウンロードファイルを保存する。
【００５６】
ストリーミング受信部２０８は、ユーザインタフェース部２０１から通知される視聴者の視聴開始、及び希望チャンネルに応じて、放送波受信処理部２０３に該当のストリーミング映像音声の受信開始通知を行い、ストリーミング映像音声を放送波受信処理部２０３経由で受信する。また、受信中のストリーミング映像音声をストリーミング一時記憶部２０９に保存する。ストリーミング再生部２１０は、ストリーミング一時記憶部２０９に保存されているストリーミングコンテンツの再生を行う。また、ストリーミング再生部２１０は、ストリーミングコンテンツ再生において、広告コンテンツの箇所に到達したか否かを判定し、広告コンテンツに到達したと判定すると、後述するように、受信状態に応じて、ストリーミング映像音声中の広告映像音声の再生を継続するか、ダウンロードファイル（品質補完映像音声、または代替補完映像音声）への切り替え再生を実行する。記録部２１２は、放送波の受信状態を判定する際に用いる閾値ｔｈを保持している。
【００５７】
図７は、ストリーミング映像音声の再生処理の一例を示す概念図である。
ストリーミング再生部２１０は、ストリーミング映像音声の再生時に、放送波受信処理部２０３にて管理されている放送波受信レベルの平均値ａｖｎ（当該広告コンテンツの直前の平均値）を取得する。そして、平均値ａｖｎの閾値ｔｈに対する上下によって、放送波の受信状態を判断し、平均値ａｖｎが閾値ｔｈ以上の場合には、当該ストリーミング映像音声中の広告映像音声の再生を行い、平均値ａｖｎが閾値ｔｈより小さい場合には、ダウンロードファイル（品質補完映像音声、または代替補完映像音声）の再生処理を行う。
【００５８】
なお、放送波の受信状態が非常に悪く、ストリーミング映像音声中のメタデータの検出ができない場合には、当該ストリーミング映像音声の再生を継続する。
【００５９】
図８は、本実施形態による携帯端末向け放送サービス提供システムの全体動作を説明するためのフローチャートである。まず、携帯端末２００において、ユーザインタフェース部２０１がユーザの操作情報を取得し（ステップＳａ１）、続いて、ユーザ指示を取得する（ステップＳａ２）。次に、ユーザインタフェース部２０１がストリーミング映像音声の受信開始通知があるか否かを判定し（ステップＳａ３）、ストリーミング映像音声の受信開始通知がない場合には、ステップＳａ１に戻る。
【００６０】
一方、ストリーミング映像音声の受信開始通知がある場合には、ストリーミング受信部２０８がストリーミング映像音声の受信を開始し（ステップＳａ４）、受信中のストリーミング映像音声が広告コンテンツの箇所に到達したか否かを判定する（ステップＳａ５）。ここで、受信中のストリーミング映像音声が広告コンテンツの箇所に到達していない場合には、ストリーミング再生部２１０で受信中のストリーミング映像音声をそのまま再生する（ステップＳａ９）。
【００６１】
一方、受信中のストリーミング映像音声が広告コンテンツの箇所に到達した場合には、ストリーミング受信部２０８が放送波受信処理部２０３から放送波の受信レベルの平均値ａｖｎを取得し（ステップＳａ６）、受信レベルの平均値ａｖｎが閾値ｔｈ以下であるか否かを判定する（ステップＳａ７）。そして、受信レベルの平均値ａｖｎが閾値ｔｈ以下でない場合、すなわち、十分な受信信号強度がある場合には、上述したステップＳａ９に進み、ストリーミング再生部２１０で受信中のストリーミング映像音声をそのまま再生する。
【００６２】
一方、受信レベルの平均値ａｖｎが閾値ｔｈ以下である場合には、受信状態の劣化によって、広告コンテンツ映像や、音声が停止、またはスキップされる可能性があるので、ダウンロードファイル再生処理を実施する（ステップＳａ８）。
【００６３】
ダウンロードファイル再生処理では、当該広告映像音声に対する品質補完映像音声の有無判断、代替補完映像音声の有無の判断が実施され、品質補完映像音声、及び代替補完映像音声のいずれも存在しない場合には、当該ストリーム映像音声中の広告映像音声の再生が行われる。
【００６４】
図９は、本実施形態によるダウンロードコンテンツ再生処理の動作を説明するためのフローチャートである。まず、ダウンロードファイルがあるか否かを判定し（ステップＳｂ１）、ダウンロードファイルがない場合には、そのまま、ストリーミング再生部２１０で広告コンテンツ映像音声の再生を継続する（ステップＳｂ８）。一方、ダウンロードファイルがある場合には、品質補完映像音声を検索する（ステップＳｂ２）。
【００６５】
品質補完映像音声有無判断は、品質補完映像音声用メタデータの「広告主」、「広告タイトル」、「広告時間」とダウンロードファイルの広告提示判断メタデータの「広告主」、「広告タイトル」、「広告時間」との各項目の比較により行われる。各項目比較後の結果の論理積を取り、真となるものが、当該ストリーム映像音声中の広告映像音声の品質補完映像音声として選択される。なお、品質補完映像音声の検索処理の詳細については後述する。
【００６６】
次に、品質補完映像音声の検索結果に基づいて、該当する品質補完映像音声があったか否かを判定し（ステップＳｂ３）、該当する品質補完映像音声があれば、該品質補完映像音声を再生する（ステップＳｂ４）。一方、該当する品質補完映像音声がない場合には、代替補完映像音声を検索する（ステップＳｂ５）。
【００６７】
代替補完映像音声有無判断は、図９に示すように、一次選択、二次選択、三次選択と段階的に処理される。一次選択は、代替補完映像音声用メタデータの「広告主」、「広告時間」と広告提示判断メタデータの「広告主」、「広告時間」との各項目、及び個人特性情報の「現在日付」、「現在時刻」と広告判断メタデータの「広告期間」、「広告時刻」との各項目の比較により行われる。各項目比較後の結果の論理積を取り、真となるものが、一次選択結果として複数選択される。
【００６８】
二次選択は、一次選択により選択されたものに対して、まず、代替補完映像音声用メタデータの「ジャンル」、「サブジャンル」と広告提示判断メタデータの「ジャンル」、「サブジャンル」との比較を行い、各項目比較後の結果の論理積を取り、真となるものが、キーワード処理の対象となる。キーワード処理は、代替補完映像音声用メタデータの「キーワード」と広告判断提示メタデータの「キーワード」との比較を行い、キーワード一致数のカウントを行う。二次選択結果では、キーワードの一致数に応じて点数付けをされたものが複数選択される。
【００６９】
三次選択は、二次選択結果のうち、点数の最も高いものが選択される。一次選択、二次選択、三次選択の過程の中で、選択候補がなくなった際には、代替補完映像音声有無判断結果は、代替補完映像音声なしとなる。なお、代替補完映像音声の検索処理の詳細については後述する。
【００７０】
次に、代替補完映像音声の検索結果に基づいて、該当する代替補完映像音声があったか否かを判定し（ステップＳｂ６）、該当する代替補完映像音声があれば、該代替補完映像音声を再生する（ステップＳｂ７）。一方、該当する代替補完映像音声がない場合には、上述したステップＳｂ８で、そのまま、ストリーミング再生部２１０で広告コンテンツ映像音声の再生を継続する。
【００７１】
次に、図１０は、本実施形態による、上述した品質補完映像音声の検索処理（Ｓｂ２）の一例を説明するためのフローチャートである。まず、品質補完映像音声用メタデータを取得し（ステップＳｃ１）、ダウンロードファイル数をカウントし、ｎとする（ステップＳｃ２）。次に、ループカウンタｉを「１」とし（ステップＳｃ３）、ダウンロードファイル数ｎ分、次のステップＳｃ４〜Ｓｃ１１を繰り返し実行する。
【００７２】
まず、ｉ番目のダウンロードファイルを取得し（ステップＳｃ５）、広告提示判断メタデータを取得する（ステップＳｃ６）。次に、品質補完映像音声用メタデータの「広告主」と広告提示判断メタデータの「広告主」とが一致するか否かを判定し（ステップＳｃ７）、双方が一致すれば、次に、品質補完映像音声用メタデータの「広告タイトル」と広告提示判断メタデータの「広告タイトル」とが一致するか否かを判定し（ステップＳｃ８）、双方が一致すれば、次に、品質補完映像音声用メタデータの「広告時間」と広告提示判断メタデータの「広告時間」とが一致するか否かを判定する（ステップＳｃ９）。
【００７３】
そして、上記判定のうち、いずれか１つでも一致しなければ（ステップＳｃ７のＮＯ or ステップＳｃ８のＮＯ or ステップＳｃ９のＮＯ）、ループカウンタｉを「１」だけインクリメントし（ステップＳｃ１０）、ステップＳｃ１１でステップＳｃ４に戻り、次のダウンロードファイルについて同様の処理を繰り返す。
【００７４】
一方、上記判定で、全ての項目が一致した場合には（ステップＳｃ７のＹＥＳ and ステップＳｃ８のＹＥ Ｓand ステップＳｃ９のＹＥＳ）、その時点のダウンロードファイル、すなわち、ｉ番目のダウンロードファイルのファイル名を記録し（ステップＳｃ１３）、図９のステップＳｂ３へ進む。
【００７５】
上述したように、ダウンロードファイル数ｎ分繰り返すまで、ループカウンタｉを「１」づつインクリメントしながら、順次、ダウンロードファイルに対して、品質補完映像音声用メタデータと広告提示判断メタデータとの各項目を比較し、全てが一致したダウンロードファイルが、当該ストリーム映像音声中の広告映像音声の品質補完映像音声として選択され、ストリーミング映像音声（広告映像音声）に代えて、再生されることになる。
【００７６】
図１１乃至図１３は、本実施形態による、上述した代替補完映像音声の検索処理（Ｓｂ５）の一例を説明するためのフローチャートである。まず、代替補完映像音声用メタデータを取得し（ステップＳｄ１）、個人特性情報から「現在日付」、「現在時刻」を取得し（ステップＳｄ２）、ダウンロードファイル数をカウントし、ｎとする（ステップＳｄ３）。次に、ループカウンタｉを「１」とし（ステップＳｄ４）、ダウンロードファイル数ｎ分、次のステップＳｄ５〜Ｓｄ１４を繰り返し実行する。
【００７７】
まず、ｉ番目のダウンロードファイルを取得し（ステップＳｄ６）、広告提示判断メタデータを取得する（ステップＳｄ７）。次に、代替補完映像音声用メタデータの「広告主」と広告提示判断メタデータの「広告主」とが一致するか否かを判定し（ステップＳｄ８）、双方が一致すれば、次に、代替補完映像音声用メタデータの「広告時間」と広告提示判断メタデータの「広告時間」とが一致するか否かを判定し（ステップＳｄ９）、双方が一致すれば、次に、個人特性情報の「現在日付」と広告判断メタデータの「広告期間」とを比較して、現在日付が広告期間内であるか否かを判定し（ステップＳｄ１０）、現在日付が広告期間内であれば、さらに、個人特性情報の「現在時刻」と広告判断メタデータの「広告時刻」とを比較し、現在時刻が広告時刻であるか判定する（ステップＳｄ１１）。
【００７８】
そして、上記判定のうち、いずれか１つでも一致しなければ（ステップＳｄ８のＮＯ or ステップＳｄ９のＮＯ or ステップＳｄ１０のＮＯ or ステップＳｄ１１のＮＯ）、ループカウンタｉを「１」だけインクリメントし（ステップＳｄ１３）、ステップＳｄ１４でステップＳｄ５に戻り、次のダウンロードファイルについて同様の処理を繰り返す。
【００７９】
一方、上記判定で、全ての項目が一致した場合には（ステップＳｄ８のＹＥＳ and ステップＳｄ９のＹＥＳ and ステップＳｄ１０のＹＥＳ and ステップＳｄ１１のＹＥＳ）、ｉ番目のダウンロードファイルのファイル名を記録し（ステップＳｄ１２）、上述したステップＳｄ１３で、ループカウンタｉを「１」だけインクリメントし、ステップＳｄ１４でステップＳｄ５に戻り、次のダウンロードファイルについて同様の処理を繰り返す。
【００８０】
そして、ダウンロードファイル数分（ｎ回）の処理が終わると、記録済みのダウンロードファイル名の有無、記録した数、ファイル名を出力する（ステップＳｄ１５）。これにより、上述した一次選択結果が得られる。
【００８１】
次に、一次選択結果数をカウントし、ｎとする（ステップＳｄ１６）。次に、一次選択結果数ｎがゼロ、すなわち１つも選択されなかったか否かを判定し（ステップＳｄ１７）、一次選択結果数ｎがゼロであれば、前述した図９のステップＳｂ６で「ＮＯ」となり、ステップＳｂ８へ進み、広告コンテンツ映像音声が再生されることになる。
【００８２】
一方、一次選択結果数ｎがゼロでなければ、すなわち、少なくとも１つでもダウロードファイルが選択されていれば、個人特性情報「ジャンル」、「サブジャンル」、「キーワード」を取得する（ステップＳｄ１８）。次に、ループカウンタｉを「１」とし（ステップＳｄ１９）、一次選択結果数ｎ分、次のステップＳｄ２０〜Ｓｄ２８を繰り返し実行する。
【００８３】
まず、一次選択結果の中のｉ番目のダウンロードファイルを取得し（ステップＳｄ２１）、広告提示判断メタデータを取得する（ステップＳｄ２２）。次に、個人特性情報の「ジャンル」と広告提示判断メタデータの「ジャンル」とが一致するか否かを判定し（ステップＳｄ２３）、双方が一致すれば、次に、個人特性情報の「サブジャンル」と広告提示判断メタデータの「サブジャンル」とが一致するか否かを判定する（ステップＳｄ２４）。
【００８４】
そして、上記判定のうち、１つでも一致しなければ（ステップＳｄ２３のＮＯ or ステップＳｄ２４のＮＯ）、ループカウンタｉを「１」だけインクリメントし（ステップＳｄ２７）、ステップＳｄ２８でステップＳｄ２０に戻り、次の一次候補結果のダウンロードファイルについて同様の処理を繰り返す。
【００８５】
一方、上記判定で、全ての項目が一致した場合には（ステップＳｄ２３のＹＥＳ and ステップＳｄ２４のＹＥＳ）、キーワード一致数をカウントし（ステップＳｄ２５）、ｉ番目のダウンロードファイル名とキーワード一致数とを記録し（ステップＳｄ２６）、上述したステップＳｄ２７で、ループカウンタｉを「１」だけインクリメントし、ステップＳｄ２８でステップＳｄ２０に戻り、次のダウンロードファイルについて同様の処理を繰り返す。
【００８６】
そして、一次選択結果数分（ｎ回）の処理が終わると、記録済みのダウンロードファイル名の有無、数、キーワード一致数、ファイル名を出力する（ステップＳｄ２９）。これにより、上述した二次選択結果として、キーワードの一致数に応じて点数付けをされたものが複数選択される。
【００８７】
次に、二次選択結果数をカウントし、ｎとする（ステップＳｄ３０）。次に、二次選択結果数ｎがゼロ、すなわち１つも選択されなかったか否かを判定し（ステップＳｄ３１）、二次選択結果数ｎがゼロであれば、前述した図９のステップＳｂ６で「ＮＯ」となり、ステップＳｂ８へ進み、広告コンテンツ映像音声が再生されることになる。
【００８８】
一方、二次選択結果数ｎがゼロでなければ、すなわち、一次選択で少なくとも１つでもダウロードファイルが選択されていれば、ループカウンタｉを「１」とし（ステップＳｄ３２）、二次選択結果の中のｉ番目のファイル名、キーワード一致数を取得し、Ｆｉｌｅ＿ｃｍｐに保存する（ステップＳｄ３３）。次に、ループカウンタｉを「１」だけインクリメントし（ステップＳｄ３４）、二次選択結果数ｎ分、次のステップＳｄ３５〜Ｓｄ４０を繰り返し実行する。
【００８９】
まず、二次選択結果の中のｉ番目のファイル名、キーワード一致数を取得し、Ｆｉｌｅ＿ｔｍｐに保存する（ステップＳｄ３６）。このとき、ループカウンタｉは、既に「１」だけインクリメントされているので、ステップＳｄ３３でのＦｉｌｅ＿ｃｍｐと、ステップＳ３６でのＦｉｌｅ＿ｔｍｐとは、二次選択結果の中の異なるダウンロードファイルのファイル名、キーワード一致数であることに注意されたい。
【００９０】
次に、Ｆｉｌｅ＿ｔｍｐのキーワード一致数がＦｉｌｅ＿ｃｍｐのキーワード一致数より大であるか否かを判定する（ステップＳｄ３７）。そして、Ｆｉｌｅ＿ｔｍｐのキーワード一致数の方が小さいならば（ステップＳｄ３７のＮＯ）、ループカウンタｉを「１」だけインクリメントし（ステップＳｄ３８）、ステップＳｄ４０でステップＳｄ３５に戻り、次の二次候補結果のダウンロードファイルについて同様の処理を繰り返す。
【００９１】
一方、Ｆｉｌｅ＿ｔｍｐのキーワード一致数の方が大きければ（ステップＳｄ３７のＹＥＳ）、Ｆｉｌｅ＿ｔｍｐの内容を、Ｆｉｌｅ＿ｃｍｐにコピーし（ステップＳｄ３９）、ステップＳｄ４０でステップＳｄ３５に戻り、次の二次候補結果のダウンロードファイルについて同様の処理を繰り返す。
【００９２】
上記ステップＳｄ３５〜Ｓｄ４０を繰り返すことにより、二次候補のうち、キーワード一致数が最も大きいダウンロードファイルのファイル名、キーワード一致数がＦｉｌｅ＿ｃｍｐに残ることになる。
【００９３】
そして、二次次選択結果数分（ｎ回）の処理が終わると、検索結果の有無、もしくはＦｉｌｅ＿ｃｍｐの内容（最終的に三次選択候補として残ったダウンロードファイルのファイル名）を出力する（ステップＳｄ４１）。これにより、三次選択結果として、二次選択結果のうち、点数（キーワード一致数）の最も高いものが選択される。
【００９４】
上述した実施形態によれば、携帯電話や、カー・ナビゲーション・システムなどで放送波を受信可能な携帯端末に対して、ＴＶ放送中のニュースや、ドラマなどの番組映像音声や、商品広告のための広告映像音声をストリーミングとして視聴者に提供するサービスにおいて、放送波の受信状態が悪く、ストリーミング中の広告映像音声を視聴者に正しく提示できない場合であっても、携帯端末に既にダウンロードされている広告映像音声を視聴者に提示することにより、ストリーミング中の広告映像音声を補完することができる。
【００９５】
また、携帯端末にダウンロードされている広告映像音声を視聴者に提示するときにおいて、受信中のストリーミング映像音声の広告映像音声と同一のダウンロードされた広告映像音声を視聴者に提示することにより、ストリーミング中の広告映像音声の品質補完をすることができる。
【００９６】
また、ダウンロードされている広告映像音声からストリーミング中の広告映像音声と同一の広告映像音声を検索できなかった場合であっても、ダウンロードされている広告映像音声の中から、視聴者の個人特性に近い広告映像音声を代替広告映像音声として視聴者に提示することができる。
【００９７】
なお、上述した実施形態において、上述した放送装置１００、携帯端末２００による各処理部の機能を実現するためのプログラムをコンピュータ読み取り可能な記録媒体に記録して、この記録媒体に記録されたプログラムをコンピュータシステムに読み込ませ、実行することにより、各種処理を実現してもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００９８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００９９】
【図１】本発明の実施形態による携帯端末向け放送サービス提供システムの全体的な構成を示すブロック図である。
【図２】本実施形態による放送装置の機能構成の概要を示すブロック図である。
【図３】本実施形態による携帯端末の機能構成の概要を示すブロック図である。
【図４】本実施形態による、ストリーミング映像音声の放送用に用いられるストリーミングファイルの一例を示す概念図である。
【図５】本実施形態による、ダウンロードファイルの一例を示す概念図である。
【図６】本実施形態ストリーミング映像音声の再生処理の一例を示す概念図である。による、個人特性情報の一例を示す概念図である。
【図７】本実施形態による、ストリーミング映像音声の再生処理の一例を示す概念図である。
【図８】本実施形態による携帯端末向け放送サービス提供システムの全体動作を説明するためのフローチャートである。
【図９】本実施形態によるダウンロードコンテンツ再生処理の動作を説明するためのフローチャートである。
【図１０】本実施形態による、上述した品質補完映像音声の検索処理（Ｓｂ２）の一例を説明するためのフローチャートである。
【図１１】本実施形態による、上述した代替補完映像音声の検索処理（Ｓｂ５）の一例を説明するためのフローチャートである。
【図１２】本実施形態による、上述した代替補完映像音声の検索処理（Ｓｂ５）の一例を説明するためのフローチャートである。
【図１３】本実施形態による、上述した代替補完映像音声の検索処理（Ｓｂ５）の一例を説明するためのフローチャートである。
【符号の説明】
【０１００】
１００  放送装置
１０１  放送波送信処理部
１０２  放送プログラム送信部
１０３  放送プログラム生成部
１０４  放送プログラム保存部
１０５  ストリーミング送信部
１０６  ストリーミング保存部
１０７  ダウンロード送信部
１０８  ダウンロード保存部
１０９、２０１  ユーザインタフェース部
２００  携帯端末
２０２  個人特性情報保存部
２０３  放送波受信処理部
２０４  放送プログラム受信部
２０５  放送プログラム保存部
２０６  ダウンロード受信部
２０７  ダウンロード保存部
２０８  ストリーミング受信部
２０９  ストリーミング一時記憶部
２１０  ストリーミング再生部
２１１  現在日時管理部
３００  放送アンテナ
【図１】
2010154010.tif 000003
【図２】
2010154010.tif 000004
【図３】
2010154010.tif 000005
【図４】
2010154010.tif 000006
【図５】
2010154010.tif 000007
【図６】
2010154010.tif 000008
【図７】
2010154010.tif 000009
【図８】
2010154010.tif 000010
【図９】
2010154010.tif 000011
【図１０】
2010154010.tif 000012
【図１１】
2010154010.tif 000013
【図１２】
2010154010.tif 000014
【図１３】
2010154010.tif 000015